(57)【要約】【課題】洗身作業時における介助者の負担を軽減できる技術を提供する。【解決手段】入浴用搬送車２は、水を溜める容器３０を備える。容器３０は、スライド移動可能、且つ、回動可能に車体に取り付けられ、前記スライド移動による位置の切り換えによって、容器３０が回動する状態と、回動しない状態とが切り換えられる。【選択図】図２
2014233346.tif 000002
【特許請求の範囲】
【請求項１】
水を溜める容器を被取付体に取り付ける容器取付構造であって、
前記容器は、スライド移動可能、且つ、回動可能に前記被取付体に保持され、
前記スライド移動による位置の切り換えによって、前記容器が回動する状態と、回動しない状態とが切り換えられることを特徴とする容器取付構造。
【請求項２】
前記容器は、
前記被取付体の第１の部分に、スライド移動可能且つ回動可能に係合する第１の係合部と、
前記スライド移動による位置の切り換えによって、前記被取付体の第２の部分に係合する状態と係合しない状態とに切り換えられる第２の係合部と、
を備えることを特徴とする請求項１に記載の容器取付構造。
【請求項３】
前記第１の部分は、前記被取付体に設けられる第１の棒状部であり、
前記第２の部分は、前記被取付体に設けられる一対の第２の棒状部であり、
前記第１の係合部は、前記容器の底部に設けられる筒状部であり、
前記第２の係合部は、前記容器の周縁に対向配置される一対のフック部であることを特徴とする請求項２に記載の容器取付構造。
【請求項４】
前記被取付体は、介護用の、入浴用搬送車又は入浴装置であることを特徴とする請求項１から３のいずれかに記載の容器取付構造。
【請求項５】
水を溜める容器を備える入浴用搬送車であって、
前記容器は、スライド移動可能、且つ、回動可能に車体に取り付けられ、
前記スライド移動による位置の切り換えによって、前記容器が回動する状態と、回動しない状態とが切り換えられることを特徴とする入浴用搬送車。
【発明の詳細な説明】
【技術分野】
【０００１】
本発明は、水を溜める容器を、例えば介護用の入浴装置や入浴用搬送車に取り付けるのに好適な容器の取付構造に関する。
【背景技術】
【０００２】
体が不自由で介助が必要な者（以下、要介助者と記載する）を入浴させる際に、要介助者を入浴用搬送車に載せた状態で洗身作業が行われることがある。この洗身作業の際には、要介助者の身体を拭く等の目的でタオルが使用されるために、タオルをゆすぐ（洗う）手段が必要になる。従来、このタオルをゆすぐための手段として、バケツや洗面器等が使用されている。
【０００３】
タオルをゆすぐためにバケツや洗面器を用いる場合、使用済みの水を捨てるために、バケツや洗面器を一々持ち上げる必要がある。複数の要介助者を入浴させる必要がある介助者には、このような作業は負担になる。この点、特許文献１に開示される回転式洗面器を利用すれば、排水のために一々洗面器を持ち上げる必要がないために便利である。
【先行技術文献】
【特許文献】
【０００４】
【特許文献１】特開２０１２−１２５４８８号公報
【発明の概要】
【発明が解決しようとする課題】
【０００５】
しかしながら、バケツや洗面器（特許文献１に開示される回転式洗面器も含む趣旨である）を別途準備する構成の場合、バケツ等の容器を保管しておく場所が必要になったり、バケツ等の容器を取りに行く負担が発生したりする。そして、容器を取りに行くために介助者が入浴者（要介助者）から離れてしまうのは危険である。また、特許文献１の構成では、洗面器に溜めた水を排出する方向が台の配置方向で一方向に決まってしまうので、排出方向を変えたい場合に、一々台の向きを変える必要がある。
【０００６】
以上の点に鑑みて、本発明の目的は、洗身作業時における介助者の負担を軽減できる技術を提供することである。
【課題を解決するための手段】
【０００７】
上記目的を達成するために本発明の容器取付構造は、水を溜める容器を被取付体に取り付ける容器取付構造であって、前記容器は、スライド移動可能、且つ、回動可能に前記被取付体に保持され、前記スライド移動による位置の切り換えによって、前記容器が回動する状態と、回動しない状態とが切り換えられる構成（第１の構成）になっている。
【０００８】
本構成によれば、容器を所定の方向にスライド移動させ、その後、容器を回動することによって容器内の水を捨てるといったことができる。このために、容器内の水を排出する者（例えば洗身作業を行う介助者等）は、水を捨てるために容器全体を持ち上げる必要がなく、楽に容器内の水の排出を行える。
【０００９】
上記第１の構成の容器取付構造において、前記容器は、前記被取付体の第１の部分に、スライド移動可能且つ回動可能に係合する第１の係合部と、前記スライド移動による位置の切り換えによって、前記被取付体の第２の部分に係合する状態と係合しない状態とに切り換えられる第２の係合部と、を備える構成（第２の構成）であるのが好ましい。本構成によれば、容器をスライド移動することによって、容器が回動可能な状態と回動不能な状態とに切り換わる構成をシンプルな構造で実現可能である。また、本構成によれば、容器を回転する方向が一方向に限られない構成とできるので、容器内の水を排出する者（例えば洗身作業を行う介助者等）は、特段の労力を伴うことなく、自身の立ち位置に応じて水を捨てる方向を決められる。
【００１０】
上記第２の構成の容器取付構造において、前記第１の部分は、前記被取付体に設けられる第１の棒状部であり、前記第２の部分は、前記被取付体に設けられる一対の第２の棒状部であり、前記第１の係合部は、前記容器の底部に設けられる筒状部であり、前記第２の係合部は、前記容器の周縁に対向配置される一対のフック部である構成（第３の構成）であってよい。本構成によれば、容器の構造が複雑とならず、その取り扱い性を良くできる。
【００１１】
上記第１から第３のいずれかの構成の容器取付構造において、前記被取付体は、介護用の、入浴用搬送車又は入浴装置であるのが好ましい（第４の構成）。本構成によれば、要介助者を入浴させる際における介助者の労力（洗身作業時の労力）が軽減されることが期待できる。
【００１２】
また、上記目的を達成するために本発明の入浴用搬送車は、水を溜める容器を備える入浴用搬送車であって、前記容器は、スライド移動可能、且つ、回動可能に車体に取り付けられ、前記スライド移動による位置の切り換えによって、前記容器が回動する状態と、回動しない状態とが切り換えられる構成（第５の構成）になっている。
【００１３】
本構成によれば、入浴用搬送車に水を溜める容器が付いているために、洗身作業時に介助者は、水を溜める容器をその保管場所に取りに行く必要がない。このために、介助者の労力を軽減できるとともに、介助者が要介助者から離れてしまう可能性を低減できる。また、本構成によれば、容器を回転する方向が一方向に限られない構成とできるので、容器内の水を排出する介助者は、特段の労力を伴うことなく、自身の立ち位置に応じて水を捨てる方向を決められる。
【発明の効果】
【００１４】
本発明によれば、例えば、洗身作業時における介助者の負担を軽減することが可能である。
【図面の簡単な説明】
【００１５】
【図１】本発明の実施形態に係る入浴用ストレッチャーと対になって使用される入浴装置の構成を示す概略斜視図
【図２】本発明の実施形態に係る入浴用ストレッチャーの構成を示す概略斜視図
【図３】本発明の実施形態に係る入浴用ストレッチャーの構成を示す概略平面図
【図４】本発明の実施形態に係る容器取付構造で取り付けられた容器の動きを説明するための概略拡大図
【図５】本発明の実施形態に係る入浴用ストレッチャーの変形例を説明するための図
【図６】本発明の容器取付構造の別実施形態を説明するための図
【発明を実施するための形態】
【００１６】
以下、本発明の実施形態に係る容器取付構造について、図面を参照しながら詳細に説明する。なお、以下では、本発明の容器取付構造が、要介助者を入浴させる際に使用される入浴用ストレッチャー（入浴用搬送車の一例）に適用される場合を例に説明する。
【００１７】
実施形態に係る入浴用のストレッチャー（本発明の容器取付構造を備える）の構成について説明する前に、入浴用のストレッチャーの理解を容易にするために、当該ストレッチャーと対になって使用される入浴装置（介護用に入浴装置）について説明しておく。
【００１８】
図１は、本発明の実施形態に係る入浴用ストレッチャーと対になって使用される入浴装置１の構成を示す概略斜視図である。入浴装置１は、床に固定配置される架台１１と、この架台１１に対して昇降可能（Ｚ方向に移動可能）に設けられる浴槽１２とを備えている。架台１１及び浴槽１２の外形は、上面視略矩形状に設けられている。架台１１の中央寄りには、支柱１３が立設されている。この支柱１３は、浴槽１２の底部を液密に貫通している。浴槽１２は、不図示の昇降機構によって、支柱１３に沿って自動的に昇降可能になっている。
【００１９】
なお、浴槽１２を昇降させる昇降機構は、特に限定されるものではないが、例えば電動機を利用して作動する油圧装置（油圧シリンダやポンプを含む）によって構成されてよい。
【００２０】
支柱１３の上端には、上面視略矩形状の支持台１４が水平となるように固定されている。支持台１４の長手方向（Ｘ方向に平行な方向）の両端部には、それぞれ、浴槽１２の短手方向（Ｙ方向に平行な方向）に水平に延びるガイドレール１５が設けられている。一対のガイドレール１５、１５は、同一の高さ位置に、平行となるように配置されている。
【００２１】
架台１１の長手方向（Ｘ方向に平行な方向）に略平行な２つの側面には、それぞれ、浴槽１２に横付けされるストレッチャー（詳細は後述する）を位置決め配置できるように、一対の位置決め穴１６、１６が形成されている。また、架台１１の、一対の位置決め穴１６、１６の間には、ストレッチャーを連結するための連結部１７が設けられている。なお、連結部１７も両側面に設けられており、入浴装置１は合計２つの連結部１７を有している。連結部１７の上面には開口１７ａが設けられ、連結部１７の内部にはマイクロスイッチ（不図示）が配置されている。このマイクロスイッチは、当該入浴装置１とストレッチャーとの連結を検知する連結検知手段として機能する。
【００２２】
浴槽１２の開口１２ａを取り囲む周縁部１２１の、短手方向（Ｙ方向に平行な方向）に沿った２つの部分の一方側（浴槽１２の長手方向の一端部側）の上面には、介助者等が当該入浴装置１に対する指示を入力するための操作部１８が設けられている。操作部１８には、入力キーや表示部（例えば温度表示等を行う）が含まれている。
【００２３】
その他、入浴装置１には、入浴の際に湯を溜めるための給湯設備やシャワー等が備えられている。
【００２４】
図２は、本発明の実施形態に係る入浴用ストレッチャー２の構成を示す概略斜視図である。図３は、本発明の実施形態に係る入浴用ストレッチャー２の構成を示す概略平面図である。図３は、図２のＸ方向に沿って見た図である。なお、図２に示すストレッチャー２は、図１に示す入浴装置１の、長手方向の２つの側面のうちの、手前側ではなく奥側に横付けされるストレッチャーである。
【００２５】
ストレッチャー２は、その下部に４つの車輪２０ａ〜２０ｄが配置される下フレーム２１を備える。下フレーム２１の上部には、昇降機構２２によって昇降可能に設けられる上フレーム２３が設けられている。昇降機構２２は、Ｘリンク２２１と、Ｘリンク２２１を動作させる動力源である電動シリンダー２２２とを含む。上フレーム２３上には、上フレーム２３と分離可能に設けられる担架部（入浴用担架）２４が配置されている。
【００２６】
上フレーム２３には、短手方向（Ｙ方向に平行な方向）に延びる一対のガイドレール（不図示）が設けられている。一対のガイドレールのレール間隔は、入浴装置１に設けられる一対のガイドレール１５、１５のレール間隔と同一である。担架部２４には、上フレーム２３に設けられる一対のガイドレールに沿って当該担架部２４が移動することを可能とするローラー２５が複数設けられている。すなわち、担架部２４は、一対のガイドレールに沿って移動することにより、上フレーム２３と分離できるようになっている。
【００２７】
ストレッチャー２が入浴装置１に横付けされる面側の２つの車輪２０ａ、２０ｂは、下フレーム２１の昇降機構２２が配置されるフレーム部分から突出するフレーム部分に設けられている。このために、昇降機構２２及び上フレーム２３は、当該ストレッチャー２が入浴装置１に横付けされる面側と反対面側寄りに配置された状態になっている。このように構成されているために、２つの車輪２０ａ、２０ｂがそれぞれ位置決め穴１６内に挿入された状態で、上フレーム２３上に配置される担架部２４は、浴槽１２内にある一対のガイドレール１５、１５に近づけることができる。すなわち、入浴装置１とストレッチャー２との間で、担架部２４の授受をスムーズに行える。
【００２８】
下フレーム２１の略中央には、短手方向（Ｙ方向に平行な方向）に延びる操作バー２６が揺動可能に取り付けられている。操作バー２６の一端には接続ピン２７が取り付けられ、他端にはペダル２８が取り付けられている。操作バー２６は、不図示の付勢部材によって、接続ピン２７が下方側に下がるように付勢された状態になっている。
【００２９】
ストレッチャー２が入浴装置１に接近して、２つの車輪２０ａ、２０ｂがそれぞれ位置決め穴１６内に所定量だけ挿入されると、接続ピン２７が、入浴装置１の連結部１７の開口１７ａに嵌入する。この際、接続ピン２７が連結部１７に内蔵されるマイクロスイッチ（連結検知手段）をオンするために、ストレッチャー２が入浴装置１に連結されたことが確認できる。なお、入浴装置１とストレッチャー２との連結は、ペダル２８を踏んで接続ピン２７を持ち上げることによって解除できる。
【００３０】
その他、担架部２４には、入浴者が頭を載せるヘッドレスト２４１、入浴者が掴まる手すり２４２、入浴者の脱落を防止するサイドフェンス２４３等が設けられている。また、上フレーム２３には、水を溜めておく容器３０（本発明の容器の一例）が取り付けられている。容器３０の上フレーム２３への取付構造の詳細については後述する。
【００３１】
ここで、入浴装置１とストレッチャー２とを利用して、要介助者を入浴させる際の流れ（あくまでも一例である）について、簡単に説明しておく。
【００３２】
まず、介助者が、例えばベッド等に載っている要介助者（入浴者）を、ストレッチャー２の担架部２４に移乗する。この際、担架部２４の高さ位置は昇降機構２２によって適宜調整される。介助者は、要介助者（入浴者）が載せられたストレッチャー２を、入浴装置１が設置された浴室に運ぶ。
【００３３】
介助者は、ストレッチャー２の一方面側の車輪２０ａ、２０ｂを、それぞれ、入浴装置１の側面に設けられる位置決め穴１６に挿入する。これに伴い、ストレッチャー２が位置決めされて、入浴装置１とストレッチャー２との連結が完了する。連結は、上述のように、接続ピン２７が連結部１７の開口１７ａに嵌入されることによって達成される。
【００３４】
次に、介助者がリモコン操作等を行って上フレーム２３を昇降させて、ストレッチャー２側のガイドレール（不図示）が、入浴装置１側のガイドレール１５の高さ位置と合うようにする。介助者は、当該高さ合わせが終了すると、ガイドレール上を移動させながら、担架部２４をストレッチャー２から入浴装置１（支持台１４）側へと移動させる。
【００３５】
この後、介助者は、操作部１８を操作して、浴槽１２を支柱１３に沿って上昇させる。浴槽１２の上昇により、担架部２４を浴槽１２の中に位置させて、要介助者を浴槽１２内の湯に浸からせることができる。なお、浴槽１２内の湯は、浴槽１２を上昇させる前に溜めておいてもよいし、場合によっては上昇させた後に溜めてもよい。また、入浴が済むと、以上の動作と逆の動作が行われて、要介助者は入浴装置１からストレッチャー２へと移される。
【００３６】
ところで、以上のような入浴装置１及び入浴用ストレッチャー２を使用して要介助者を入浴させる場合、要介助者の洗身作業は、入浴装置１の傍に配置された入浴用ストレッチャー２上で行なわれるのが通常である。そして、この洗身作業の際には、要介助者の身体を拭くために使用されるタオルをゆすぐ手段が必要となるが、このタオルをゆすぐための手段として、ストレッチャー２の上フレーム２３に取り付けられる容器３０が使用できるようになっている。容器３０のストレッチャー２への取付構造は、介助者にとって便利な構造になっている。以下、容器３０の取付構造の詳細について説明する。
【００３７】
図２及び図３に示すように、上フレーム２３の長手方向（Ｘ方向に平行な方向）の一端部には、上フレーム２３からＸ方向に延び出す、棒状の一対の支持フレーム２３１ａ、２３１ｂが設けられている。上フレーム２３のＸ方向の一端部寄り下部側には、Ｘ方向と直交する板面を有するフレーム板２３２が設けられている。
【００３８】
フレーム板２３２からは、Ｘ方向に延び出す、棒状の保持フレーム２３３が設けられている。図３に示すように、Ｘ方向に沿って平面視した場合、一対の支持フレーム２３１ａ、２３１ｂと、保持フレーム２３３とは、二等辺三角形の頂点を構成するような配置となっている。保持フレーム２３３を通る軸Ａを基準として、一対の支持フレーム２３１ａ、２３１ｂは略対称配置されている。上フレーム２３の一端を基準位置とした場合、一対の支持フレーム２３１ａ、２３１ｂよりも保持フレーム２３３の方が、基準位置からの突出量が大きくなっている。
【００３９】
なお、一対の支持フレーム部２３１ａ、２３１ｂは、本発明の一対の第２の棒状部の一例である。また、保持フレーム２３３は、本発明の第１の棒状部の一例である。
【００４０】
容器３０は、外形略半円柱状に設けられ、２つの半円形状の面３０ａ、３０ａと、２つの半円形状の面３０ａ、３０ａを繋ぐ円弧面３０ｂと、によって形成される内部空間（水を溜める空間）を備える。円弧面３０ｂの略中央部には、Ｘ方向に延びる筒状部３１が設けられている。筒状部３１に保持フレーム２３３が挿通されることによって、容器３０は、保持フレーム２３３にスライド移動可能、且つ、回動可能に保持されている。なお、保持フレーム２３３の先端には、容器３０の抜け止めを防止する抜け止め部２３３ａが設けられている。この抜け止め部２３３ａは、保持フレーム２３３に対して着脱可能であってもよいし、着脱不能であってもよい。抜け止め部２３３ａを着脱可能とすることで、容器３０をストレッチャー２に対して着脱可能にできる。
【００４１】
容器３０の開口３０ｃの周縁には、筒状部３１を挟むようにして対向配置される一対のフック部３２ａ、３２ｂが設けられている。一対のフック部３２ａ、３２ｂのうち、一方のフック部３２ａが支持フレーム２３１ａと係合し、他方のフック部３２ｂが支持フレーム２３１ｂと係合した状態とすることで、容器３０は、開口面を上、筒状部３１を下とした状態で上フレーム２３に保持できる（図２及び図３参照）。
【００４２】
なお、筒状部３１は、本発明の第１の係合部の一例である。また、一対のフック部３２ａ、３２ｂは、本発明の第２の係合部の一例である。
【００４３】
図４は、本発明の実施形態に係る容器取付構造で取り付けられた容器３０の動きを説明するための概略拡大図である。図４において、左側の図は側面から見た図、右側の図は正面から見た図である。
【００４４】
図４（ａ）は、容器３０が一対の支持フレーム２３１ａ、２３１ｂに支持された状態を示している。この状態では、上述のように容器３０の開口面が上を向いている。すなわち、この状態は、容器３０内の空間に水を溜めるのに適した状態と言える。容器３０が図４（ａ）の状態にされることによって、介助者は、容器３０に溜められた水を利用して、例えばタオルをゆすぐことができる。なお、容器３０への水溜めは、例えば入浴装置１に備えられるシャワー等を利用すればよい。容器３０には、水を溜めやすいように、シャワー等が備えるホースやノズル部等を一時的に固定可能な固定手段を設けるのが好ましい。
【００４５】
図４（ａ）の状態から、容器３０を保持フレーム２３３に沿って、保持フレーム２３３の先端側に向けてスライド移動すると、容器３０の一対のフック部３２ａ、３２ｂと、一対の支持フレーム２３１ａ、２３１ｂとの係合が解除される。図４（ｂ）は、この係合が解除された状態を示している。図４（ｂ）の状態では、容器３０は保持フレーム２３３のみと係合した状態になるために、保持フレーム２３３周りに回動可能となる。
【００４６】
図４（ｂ）の状態から図４（ｃ）に示すように容器３０を回転させることによって、容器３０の開口面が水平から傾いた状態になるために、容器３０内の水を排出できる。すなわち、本構成では、容器３０内の水を排出するために、容器３０全体を持ち上げる必要がない。このために、容器３０内の水を排出する作業が楽である。また、容器３０を回転させる方向は、反時計回り方向（図４（ｃ）に示す方向）に限らず、時計回り方向ともでき、介助者は自身の立ち位置に応じて容器３０の回転方向を決められる。このために、介助者は、容器３０内の水を排出する際に、一々、自身の立ち位置を変える必要がない。
【００４７】
なお、容器３０内の水を排出した後は、保持フレーム２３３を中心として容器３０を回動し、一対のフック部３２ａ、３２ｂが上となる状態とし、容器３０を保持フレーム２３３に沿って、上フレーム３２側にスライド移動すればよい。これにより、一対のフック部３２ａ、３２ｂが一対の支持フレーム２３１ａ、２３１ｂと係合して、容器３０は開口面が上となった状態で、上フレーム２３に支持されることになる。
【００４８】
以上のように、本実施形態の入浴用ストレッチャー２は、それ自身がタオル等を洗うための容器３０を備える。このために、介助者が水を溜める容器を準備するために、要介助者から離れてしまうといった事態が生じ難い。すなわち、入浴用ストレッチャー２を用いることによって、要介助者の安全性を向上できる。また、本実施形態の入浴用ストレッチャー２によれば、容器３０内の水を捨てる作業に要する労力が軽減され、介助者にとって当該ストレッチャー２は使い勝手がよい。
【００４９】
なお、以上に示した実施形態は、本発明の例示にすぎない。以上に示した実施形態の構成は、本発明の技術的思想を超えない範囲で適宜変更されて構わない。
【００５０】
例えば、以上に示した実施形態では、容器３０の一対のフック部３２ａ、３２ｂと、上フレーム２３の一対の支持フレーム２３１ａ、２３１ｂとの係合によって、容器３０が上フレーム２３に対して回動不能に支持される構成とした。しかし、この構成に限らず、例えば、容器３０から突出する一対の棒状部と、上フレーム２３に設けられる一対の受け部との係合によって、容器３０が上フレーム２３に対して回動不能に支持される構成としてもよい。
【００５１】
また、以上に示した実施形態では、容器３０の筒状部３１に上フレーム２３側に設けられる保持フレーム２３３が挿入されることによって、容器３０が上フレーム２３に対してスライド移動可能且つ回動可能に保持される構成とした。しかし、この構成に限らず、例えば、容器３０に設けられる棒状部が、上フレーム２３側に設けられる筒状部に挿入されることによって、容器３０が上フレーム２３に対してスライド移動可能且つ回動可能に保持される構成としてもよい。
【００５２】
また、以上に示した実施形態では、容器３０内の水は、ストレッチャー２の側面方向（左右方向）に排出可能とした。しかし、この構成に限らず、図５に示すように、容器３０内の水は、ストレッチャー２の前後方向に排出可能としてもよい。図５（ａ）は、本発明の実施形態に係る入浴用ストレッチャーの変形例を示す概略側面図である。図５（ｂ）は、変形例に係る入浴用ストレッチャーが備える容器３０の取付構造を説明するための概略上面図である。図５（ｃ）は、容器３０が排水のために傾けられた状態を示す図である。
【００５３】
図５に示すように、上フレーム２３には、長手方向（Ｘ方向と平行な方向）の一端側、且つ、短手方向（Ｙ方向と平行な方向）の一端側に、上フレーム２３からＸ方向に延び出す延出フレーム２３０を有する。延出フレーム２３０には、Ｙ方向に延び出す棒状の一対の支持フレーム２３１ａ、２３１ｂが設けられている。また、延出フレーム２３０の下部側にはＹ方向と直交する板面を有するフレーム板２３２が設けられている。フレーム板２３２からは、Ｙ方向に延び出す、棒状の保持フレーム２３３が設けられている。一対の支持フレーム２３１ａ、２３１ｂと、保持フレーム２３３の関係は、上述した実施形態と同様である。また、容器３０の構成も、上述した実施形態と同様である。
【００５４】
図５に示す例では、入浴用ストレッチャー２を構成するフレームに水受盤（不図示）を設ける構成とすることで、その使い勝手が良くなることが期待できる。
【００５５】
また、以上に示した実施形態では、本発明の容器付構造が入浴用ストレッチャーに適用される構成としたが、これに限らず、図６に示すように、入浴装置１側に、上述の実施形態と同様の容器取付構造が適用されても構わない。洗身作業時においては、通常、入浴用ストレッチャー２の傍に入浴装置１が存在する。このために、入浴装置１に水を溜める容器３０が備えられることによって、介助者の洗身作業時における労力が軽減されることが期待できる。また、図示は省略するが、本発明の容器取付構造は、例えば、入浴用車椅子（入浴用搬送車に一例）に適用されても勿論構わない。
【符号の説明】
【００５６】
１  入浴装置（被取付体）
２  ストレッチャー（被取付体）
２３  上フレーム（車体の一部）
３０  容器
３１  筒状部（第１の係合部）
３２ａ、３２ｂ  フック部（第２の係合部）
２３１ａ、２３１ｂ  支持フレーム（第２の部分、第２の棒状部）
２３３  保持フレーム（第１の部分、第１の棒状部）
【図１】
2014233346.tif 000003
【図２】
2014233346.tif 000004
【図３】
2014233346.tif 000005
【図４】
2014233346.tif 000006
【図５】
2014233346.tif 000007
【図６】
2014233346.tif 000008